(57)【要約】【課題】複写禁止情報と複写許容情報とを表示したカードを収容するカードケースにおいて、簡単な構造で、複写許容情報のみを表示して複写禁止情報を隠蔽することができるカードケースを提供すること。【解決手段】カードケース１の表面シート１１を複写許容情報を透視可能とすると共に、その一部に複写禁止情報２ｅを透視できない不透明領域１１ｘを設け、他方、裏面シート１２を複写禁止情報を認知困難とする半透明な材質で構成する。【選択図】図１
2017007220.tif 000002
【特許請求の範囲】
【請求項１】
複写禁止情報と複写許容情報とを表示したカードを収容するカードケースであって、その表面のシートが複写許容情報を透視可能であると共に、その一部に前記複写禁止情報を透視できない不透明領域が設けられており、裏面のシートが前記複写禁止情報を認知困難とする半透明な材質で構成されていることを特徴とするカードケース。
【請求項２】
裏面のシートが、カードの書式を透視可能に構成されていることを特徴とする請求項１に記載のカードケース。
【請求項３】
複写禁止情報と複写許容情報とを表示したカードを収容するカードケースであって、複写許容情報を透視可能な透明フィルムと前記複写禁止情報を認知困難とする半透明フィルムとから成り、
前記透明フィルムが横長で、その中央に折り曲げ線を有しており、かつ、この折り曲げ線によって第１の領域と第２の領域に区分されており、
透明フィルムの前記第１の領域に前記半透明フィルムの周縁が接着され、この周縁で囲まれた領域が非接着領域とされており、かつ、この非接着領域において透明フィルムにカード差込用スリットが設けられており、
前記第２の領域の一部に前記複写禁止情報を透視できない不透明領域が設けられていることを特徴とするカードケース。
【発明の詳細な説明】
【技術分野】
【０００１】
本発明は、複写を禁止する秘密情報と、複写を許容する公開情報とが、同一の券面に表示されているカードを収容するカードケースに関する。本発明によれば、カードをカードケースに収容したままコピーすることにより、前記公開情報（複写許容情報）のみを選択してコピーすることができる。
【背景技術】
【０００２】
周知のように、磁気カードやＩＣカードは多数の分野で使用されている。例えば、身分証明カード（ＩＤカード）、銀行カード、クレジットカード、運転免許証、マイナンバーカード等である。
【０００３】
これらのカードには、複写を許容する複写許容情報と複写が望ましくない複写禁止情報とが同一券面に表示されていることが通常である。例えば、運転免許証の表面には、都道府県によって異なるが、一般に図８に示す各種情報が表示されている。すなわち、運転免許証の表面には、その上部に氏名２ａ、生年月日２ｂが一列に表示されている。そして、その下方は左右に区分されており、左側には、住所２ｃ、交付日、有効期限２ｄ、免許番号２ｅ、免許の種類がこの順に表示されている。また、右側には顔写真２ｆ、免許証を発光した公安委員会の名称２ｇが表示されている。そして、これら住所２ｃ等と顔写真２ｆとの間には、罫線で仕切った表が表示されており、免許の種類の細目が表示されている。そして、これら各種表示のうち、秘密性の高いものは、例えば、免許番号２ｅである。
【０００４】
また、マイナンバーカードは極めて秘密性が高く、このマイナンバーを表示したカードを複写する場合にも、このマイナンバーを複写することは許されていない。
【０００５】
ところで、このように複写を許容する複写許容情報と複写が望ましくない複写禁止情報とが同一券面に表示されている場合、必要に応じて複写許容情報のみを表示して複写禁止情報を隠蔽するカードケースが特許文献１に記載されている。このカードケースでは、複写禁止情報に対応する位置に液晶シャッターを配置して、この液晶シャッターを駆動することにより、必要に応じて複写禁止情報を隠蔽し、あるいは表示することができる。
【先行技術文献】
【特許文献】
【０００６】
【特許文献１】特許第３３５００８５号公報
【発明の概要】
【発明が解決しようとする課題】
【０００７】
しかしながら、特許文献１のカードケースにおいては液晶シャッターを必要とし、また、この液晶シャッターを駆動する駆動回路を必要とするため、その構造が複雑で、その分高価とならざるを得なかった。
【０００８】
そこで、本発明は、簡単な構造で、複写許容情報のみを表示して複写禁止情報を隠蔽することができるカードケースを提供することを目的とする。
【課題を解決するための手段】
【０００９】
すなわち、請求項１に記載の発明は、複写禁止情報と複写許容情報とを表示したカードを収容するカードケースであって、その表面のシートが複写許容情報を透視可能であると共に、その一部に前記複写禁止情報を透視できない不透明領域が設けられており、裏面の
シートが前記複写禁止情報を認知困難とする半透明な材質で構成されていることを特徴とするカードケースである。
【００１０】
次に、請求項２に記載の発明は、裏面のシートが、カードの書式を透視可能に構成されていることを特徴とする請求項１に記載のカードケースである。
【００１１】
また、請求項３に記載の発明は、複写禁止情報と複写許容情報とを表示したカードを収容するカードケースであって、複写許容情報を透視可能な透明フィルムと前記複写禁止情報を認知困難とする半透明フィルムとから成り、
前記透明フィルムが横長で、その中央に折り曲げ線を有しており、かつ、この折り曲げ線によって第１の領域と第２の領域に区分されており、
透明フィルムの前記第１の領域に前記半透明フィルムの周縁が接着され、この周縁で囲まれた領域が非接着領域とされており、かつ、この非接着領域において透明フィルムにカード差込用スリットが設けられており、
前記第２の領域の一部に前記複写禁止情報を透視できない不透明領域が設けられていることを特徴とするカードケースである。
【発明の効果】
【００１２】
請求項１に記載の発明のカードケースでは、カードを収容したときに、複写許容情報を透視可能であり、しかも、複写禁止情報を透視できない不透明領域が設けられているから、複写許容情報のみを選択して表示することができる。もちろん、コピーした場合には、複写許容情報のみを選択して複写できる。
【００１３】
また、カードの表裏を誤って収容した場合でも、裏面のシートが複写禁止情報を認知困難とする半透明な材質で構成されているから、複写禁止情報を読み取ることは困難であり、複写することも困難である。
【００１４】
なお、このカードケースは表裏のシートをその周囲で接着することで製造できるから、その製造が容易であり、また、安価である。
【００１５】
また、請求項３に記載の発明においては、透明フィルムのカード差込用スリットから非接着領域にカードの端部を差し込んでカードを固定保持することができる。そして、中央の折り曲げ線で折り曲げて透明フィルムの第２の領域をカードに重ねることによって、カードを第１の領域と第２の領域との間に挟むことができる。
【００１６】
ところで、前記第２の領域には一部に前記複写禁止情報を透視できない不透明領域が設けられているから、複写許容情報のみを選択して表示することができる。もちろん、コピーした場合には、複写許容情報のみを選択して複写できる。
【００１７】
また、カードの表裏を誤って収容した場合でも、第１の領域は複写禁止情報を認知困難とする半透明フィルムで構成されているから、複写禁止情報を読み取ることは困難であり、複写することも困難である。
【００１８】
このように、請求項３に記載の発明においても、請求項１に記載の発明と同様に、複写許容情報のみを表示して複写禁止情報を隠蔽することができ、仮に表裏を誤って収容した場合でも、複写禁止情報の読み取りを防ぐことができる。
【００１９】
なお、請求項３に記載のカードケースも、その製造が容易であることは明らかである。
【図面の簡単な説明】
【００２０】
【図１】図１は本発明の第１の具体例に係り、図１（ａ）はその断面図、図１（ｂ）は表面シート側から見た平面図、図１（ｃ）は裏面シート側から見た平面図である。
【図２】本発明の別の具体例を示す断面図である。
【図３】カードの収容方法を示す斜視図である。
【図４】カードを収容して、表面シート側から見た平面図である。
【図５】表裏を誤ってカードを収容した場合における、裏面シート側から見た平面図である。
【図６】本発明の第２の具体例に係り、図６（ａ）はその断面図、図６（ｂ）は平面図である。
【図７】図７（ａ）及び（ｂ）は、それぞれ、本発明の第２の具体例に係るカードケースの使用方法を示す断面図である。
【図８】カードの例を示す平面図である。
【発明を実施するための形態】
【００２１】
次に、運転免許証を例として本発明の第１の具体例を説明する。この例では、免許番号を複写禁止情報とし、その他の情報（住所氏名、顔写真、書式等）を複写許容情報として説明するが、必要に応じてこれらの情報を複写禁止情報としてもよい。
【００２２】
本発明のカードケース１は、図１に示すように、表面シート１１と裏面シート１２とを重ね、その周囲の三方で互いに接着して製造することができる。そして、これら表裏のシート１１，１２は安価なものであるため、その製造も容易であり、かつ、安価である。
【００２３】
表面シート１１は複写許容情報を透視できる透明な材質から成り、その一部に不透明な領域１１ｘが設けられている必要がある。この不透明領域１１ｘは、カード２を収容したとき、その複写禁止情報に対面する位置である。表面シート１１としては、ポリ塩化ビニルシート、ポリエステルシート、ポリアミドシート等を使用することができる。また、不透明領域１１ｘは黒色等の濃色の印刷インキを印刷して形成すればよい。また、金属箔を張り合わせたり、金属蒸着層を転写して不透明領域１１ｘを形成することも可能である。
【００２４】
次に、裏面シート１２は半透明なシートで構成する必要がある。カード２の表裏を誤って収容したときでも、複写禁止情報を認知困難とするためである。この裏面シート１２としては、白色顔料を混合して製膜したプラスチックフィルムを使用することができる。例えば、ポリ塩化ビニルシート、ポリエステルシート、ポリアミドシート等である。また、透明なプラスチックシートに白色インキを印刷して半透明としたものであってもよい。透明プラスチックシートを粗面化して半透明とすることもできる。また、図２に示すように、透明フィルム１２ａに半透明なフィルム１２ｂを積層して裏面シート１２としてもよい。これら透明フィルム１２ａと半透明フィルム１２ｂとは、その全面で接着していてもよいし、周縁だけで接着していてもよい。
【００２５】
なお、表裏のシート１１，１２は、接着剤を使用して、その周囲で接着することができる。また、ヒートシールに接着してもよい。例えば、両面を確認しなくてはならない場合には、一辺のみを接着して半透明フィルム１２ｂをめくることで、複写禁止情報を透視困難としたまま両面を視認することができる。
【００２６】
そして、図３に示すように、開口部からカード２を挿入して収容することができる。カード２を収容したカードケース１は、図４に示すように、複写禁止情報（この例では免許番号１ｅ）に不透明領域１１ｘが対面して透視困難としており、その他の複写許容情報（この例では、住所氏名、顔写真、書式等）は、表面シート１１を透して透視できる。このため、このままコピーした場合には、複写禁止情報を除くその他の複写許容情報をコピーすることができる。
【００２７】
次に、図５は、カードの表裏を誤って収容した場合を示す説明図である。この図から分かるように、表裏を誤って収容した場合には、複写禁止情報と複写許容情報の両方が裏面シート１２を透して透視できるものの、裏面シート１２が半透明であるため、その書式（レイアウト）は認知できるものの、複写禁止情報と複写許容情報のいずれについても判読困難である。このため、表裏を誤って収容したことに気づき易く、万一気づくことなくコピーした場合にも、複写禁止情報が複写されることがない。
【００２８】
次に、図面の図６，図７を参照して、本発明の第２の具体例を説明する。
【００２９】
図６から分かるように、この具体例のカードケースは、透明フィルム３と半透明フィルム４とで構成されている。透明フィルム３は複写許容情報を透視可能なもので、横長の形状を有し、その長手方向中央に折り曲げ線３ａを有しており、かつ、この折り曲げ線３ａによって第１の領域３１と第２の領域３２とに区分されている。
【００３０】
一方、前記半透明フィルム４は複写禁止情報を認知困難とし、その他の複写許容情報（この例では、住所氏名、顔写真、書式等）を透視できる程度に半透明なものである。そして、この半透明フィルム４は、透明フィルム３の前記第１の領域３１に積層されている。このため、半透明フィルム４はこの第１の領域３１にほぼ等しい大きさを有している。透明フィルム３と半透明フィルム４とは、半透明フィルム４の周縁４ａで互いに接着されており、この周縁で囲まれた領域は、透明フィルム３と半透明フィルム４とが互いに接着しない非接着領域とされている必要がある。
【００３１】
そして、この非接着領域の内部に、透明フィルム３を貫通するスリット３１ａが設けられている。このスリット３１ａは、後述するように、カード２の端部を差し込んで固定するためのものである。
【００３２】
一方、透明フィルム３の前記第２の領域３２には不透明な領域３２ｘが設けられている必要がある。この不透明領域３２ｘは、カード２を収容したとき、その複写禁止情報に対面する位置である。この不透明領域３２ｘは、濃色の印刷インキを印刷したり、金属箔を張り合わせて形成することができる。また、金属蒸着層を転写して形成してもよい。
【００３３】
このカードケースは、図７（ａ）に示すように使用することができる。すなわち、まず、カード２の端部をカード差込用スリット３１ａから差込んで、カードを固定保持する。図７（ａ）はこの状態を示している。
【００３４】
次に、中央の折り曲げ線で折り曲げて透明フィルム３の第２の領域３２をカードに重ねることによって、カード２を第１の領域３１と第２の領域３２との間に挟むことができる。
【００３５】
ところで、カード２の複写禁止情報（この例では免許番号１ｅ）が第２の領域３２に向き合うようにカード２を配置すれば、第２の領域３２には一部に不透明領域３２ｘが設けられているから、複写禁止情報は透視困難であり、複写許容情報（この例では、住所氏名、顔写真、書式等）のみを選択して表示することができる。もちろん、コピーした場合には、複写許容情報のみを選択して複写できる。
【００３６】
また、カード２の表裏を誤って収容した場合でも、第１の領域３１は複写禁止情報を認知困難とする半透明フィルムで構成されているから、その書式（レイアウト）は認知できるものの、複写禁止情報と複写許容情報のいずれについても判読困難である。このため、表裏を誤って収容したことに気づき易く、万一気づくことなくコピーした場合にも、複写
禁止情報が複写されることがない。
【００３７】
なお、図７（ａ）はカード２を第２の領域３２側から反対側に向かってスリット３１ａに差込む例を示しているが、図７（ｂ）に示すように、第２の領域３２に向かってスリット３１ａにカード２を差し込んでもよい。
【００３８】
以上、運転免許証をカードの例として本発明を説明したが、本発明に係るカードはこれに限られない。また、カードは紙製カードであってもよく、プラスチック製カードであってもよい。磁気記録層を有するカードであってもよく、ＩＣチップを内蔵するカードであってもよい。
【符号の説明】
【００３９】
１：カードケース    １１：表面シート    １１ｘ：不透明領域    １２：裏面シート
２：カード    ２ａ：氏名    ２ｂ：生年月日    ２ｃ：住所    ２ｄ：有効期限    ２ｅ：免許番号（複写禁止情報）    ２ｆ：顔写真    ２ｇ：公安委員会の名称
３：透明フィルム    ３ａ：折り曲げ線
３１：第１の領域    ３１ａ：スリット
３２：第２の領域    ３２ｘ：不透明領域
４：半透明フィルム    ４ａ：周縁接着部
【図１】
2017007220.tif 000003
【図２】
2017007220.tif 000004
【図３】
2017007220.tif 000005
【図４】
2017007220.tif 000006
【図６】
2017007220.tif 000007
【図７】
2017007220.tif 000008
【図８】
2017007220.tif 000009
【図５】
2017007220.tif 000010